(57)【要約】【課題】従来に比べて操作性の良好な無線ヘッドセットを提供する。【解決手段】ヘッドセット本体１は、スピーカー１０を内蔵した耳あて部２と、この耳あて部２を使用者の耳の位置に固定するためのヘッドバンド３を具備している。ヘッドセット本体１には、フレキシブルアーム４を介してマイク７が配置されたマイク部５が支持されており、マイク部５には、操作スイッチ６ａ，６ｂ及び操作スイッチ（モード切替スイッチ）８が設けられている。【選択図】図１
2005167360.tif 000002
【特許請求の範囲】
【請求項１】
使用者の頭部に装着されるヘッドセット本体と、このヘッドセット本体に取り付けられ使用者の口元付近に配置可能とされたマイク部とを有する無線ヘッドセットであって、
前記マイク部に設けられ、音声を収集し、音声信号を発生するマイクと、
前記ヘッドセット本体に設けられ、音声を発生させるスピーカーと、
前記ヘッドセット本体に設けられ、前記マイクから発生された音声信号及び前記スピーカーで音声を発生させるための音声信号の処理及び外部機器との送受信信号の処理を行う信号処理部と、
前記マイク部に設けられ、前記外部機器の音楽再生機能又はビデオ再生機能の制御を行うための操作スイッチと、
前記ヘッドセット本体に設けられ、前記信号処理部を制御するとともに、前記操作スイッチからの操作信号に基づき、前記信号処理部を介して前記外部機器に、音楽再生機能又はビデオ再生機能の制御を行うための信号を送る制御部と、
を具備したことを特徴とする無線ヘッドセット。
【請求項２】
前記マイク部に、前記外部機器の音楽再生機能又はビデオ再生機能を使用する使用モードと、前記外部機器を通じて音声によるコミュニケーションを行う使用モードとを切り替えるための操作スイッチが設けられたことを特徴とする無線ヘッドセット。
【発明の詳細な説明】
【技術分野】
【０００１】
本発明は、パーソナルコンピュータ、携帯電話、多機能携帯端末等との間で無線により通信を行う機能を有する無線ヘッドセットに関する。
【背景技術】
【０００２】
スピーカーを内蔵した耳あて部とこの耳あて部を使用者の耳の位置に固定するためのヘッドバンド等を具備したヘッドセット本体と、このヘッドセット本体に可動式アーム又はフレキシブルアーム等によって支持されたマイク部とを具備し、頭部に装着して使用するヘッドセットが、パーソナルコンピュータ、携帯電話、多機能携帯端末等における音声入力及び音声出力手段として使用されている（例えば、特許文献１参照。）。
【０００３】
上記ヘッドセットには、有線のものと無線のものがあり、ブルートゥース（Bluetooth(R)）と称される近距離ワイヤレス通信システムにおける無線通信機能を備えた無線ヘッドセットも知られている。
【特許文献１】特開2002-77348号公報（第３−５頁、第１−３図）
【発明の開示】
【発明が解決しようとする課題】
【０００４】
上述した無線ヘッドセットでは、電源スイッチやその他の操作スイッチは、ヘッドセット本体の耳あて部に配置されている。このような操作スイッチとしては、音楽再生機能やビデオ再生機能を制御するためのスイッチ、例えば、再生スイッチ、ポーズスイッチ、早送りスイッチ、巻き戻しスイッチ、停止スイッチ及び音量調整スイッチ等がある。
【０００５】
また、無線ヘッドセットの使用モードを相互に切り替えるための操作スイッチ（モード切替スイッチ）もある。このような使用モードとしては、例えば、上記の音楽再生機能やビデオ再生機能を使用する音楽モード、電子会議機能や音声認識機能を使用して音声によるコミュニケーションを行う会話モードがある。また、携帯電話をワイヤレスで使用する場合には、携帯電話モードもある。
【０００６】
上記のように、無線ヘッドセットでは、操作スイッチは、耳あて部に配置されているため、無線ヘッドセットを装着した状態では、操作スイッチを直接目視することはできない。このため、手探りで操作スイッチを操作しなければならず、操作性が良好であるとは言えないという課題があった。
【０００７】
本発明は、このような課題に対処するためになされたもので、従来に比べて操作性の良好な無線ヘッドセットを提供しようとするものである。
【課題を解決するための手段】
【０００８】
本発明の無線ヘッドセットは、使用者の頭部に装着されるヘッドセット本体と、このヘッドセット本体に取り付けられ使用者の口元付近に配置可能とされたマイク部とを有する無線ヘッドセットであって、前記マイク部に設けられ、音声を収集し、音声信号を発生するマイクと、前記ヘッドセット本体に設けられ、音声を発生させるスピーカーと、前記ヘッドセット本体に設けられ、前記マイクから発生された音声信号及び前記スピーカーで音声を発生させるための音声信号の処理及び外部機器との送受信信号の処理を行う信号処理部と、前記マイク部に設けられ、前記外部機器の音楽再生機能又はビデオ再生機能の制御を行うための操作スイッチと、前記ヘッドセット本体に設けられ、前記信号処理部を制御するとともに、前記操作スイッチからの操作信号に基づき、前記信号処理部を介して前記外部機器に、音楽再生機能又はビデオ再生機能の制御を行うための信号を送る制御部と、を具備したことを特徴とする。
【０００９】
また、本発明の無線ヘッドセットは、上記無線ヘッドセットにおいて、前記マイク部に、前記外部機器の音楽再生機能又はビデオ再生機能を使用する使用モードと、前記外部機器を通じて音声によるコミュニケーションを行う使用モードとを切り替えるための操作スイッチが設けられたことを特徴とする。
【発明の効果】
【００１０】
本発明によれば、従来に比べて操作性の良好な無線ヘッドセットを提供することができる。
【発明を実施するための最良の形態】
【００１１】
以下、本発明を実施するための形態について説明する。
【００１２】
図１は本発明の一実施形態に係る無線ヘッドセットの外観の概略構成を示すものである。同図において、符号１はヘッドセット本体を示しており、このヘッドセット本体１は、スピーカー１０を内蔵した２つの耳あて部２と、この耳あて部２を使用者の耳の位置に固定するためのヘッドバンド３を具備している。
【００１３】
また、このヘッドセット本体１には、フレキシブルアーム４を介して、マイク部５が支持されており、フレキシブルアーム４を調節することによって、ヘッドセット本体１を頭部に装着した状態で、マイク部５を口元付近に配置させることができるようになっている。このマイク部５には、シャトルプッシュスイッチからなる２つの操作スイッチ６ａ、６ｂとマイク７及びスライドスイッチからなる操作スイッチ８が設けられている。
【００１４】
本実施形態において、操作スイッチ６ａ、６ｂは、中立位置から前後に操作するシャトル動作と中立位置において押し下げるプッシュ動作によって、１つのスイッチにより複数の機能を操作可能とされており、外部機器の音楽再生機能やビデオ再生機能を制御して、再生、ポーズ、早送り、巻き戻し、停止動作及び音量を操作できるようになっている。なお、上記操作スイッチ６ａ、６ｂは、シャトルプッシュスイッチに限られるものではなく、例えば、ロータリースイッチ、プッシュスイッチ、シャトルスイッチ等のスイッチを使用することもできる。
【００１５】
また、上記のスライドスイッチからなる操作スイッチ８は、無線ヘッドセットの動作モードを、外部機器の音楽再生機能又はビデオ再生機能を使用して音楽やビデオを視聴する使用モード（音楽モード）と、外部機器を通じて音声によるコミュニケーションを行う使用モード（会話モード）とに切り替えるモード切替スイッチとなっている。
【００１６】
図２は、上記の無線ヘッドセットの構成を示すブロック図である。上記したとおり、マイク部５には、操作スイッチ６ａ、６ｂとマイク７及び操作スイッチ（モード切替スイッチ）８が設けられている。また、ヘッドセット本体１には、スピーカー１０、バッテリ１１、制御部１２、信号処理部１３及びアンテナ１４が設けられている。これらのうち、スピーカー１０、バッテリ１１、制御部１２、信号処理部１３は、耳あて部２に設けられており、アンテナ１４はヘッドバンド３内に設けられている。
【００１７】
上記マイク７は、音声を収集し、これを電気信号に変換して音声信号を発生させる。このマイク７からの音声信号は、フレキシブルアーム４内に設けられた図示しない信号線を介して信号処理部１３の入力音声増幅部３０に入力され、ここで増幅され、変調部３１でデジタル変調され、送信フィルタ部３２でデジタル化された音声信号から音声帯域の信号が取り出されてアンテナ１４から送信される。
【００１８】
また、外部機器、例えばパーソナルコンピュータ、携帯電話、多機能携帯端末等からの送信信号は、アンテナ１４によって受信され、受信フィルタ部３３において受信信号から音声帯域の音声信号が取り出され、復調部３４でアナログ信号に復調され、出力音声増幅部３５で増幅されて、スピーカー１０から音声として出力される。
【００１９】
上記のような外部機器との無線通信は、近距離ワイヤレス通信システム、例えば、ブルートゥース規格による無線通信によって行われる。
【００２０】
制御部１２は、上記信号処理部１３の動作を制御するとともに、バッテリ１１からの電力供給を制御する。また、マイク部５に設けられた操作スイッチ６ａ、６ｂが、使用者によって操作されると、制御部１２は、操作スイッチ６ａ、６ｂからの操作信号に基づいて、信号処理部１３の動作を制御する。そして、信号処理部１３からアンテナ１４を通じて外部機器に無線通信によって操作信号が送られ、外部機器の音楽再生機能又はビデオ再生機能を操作するようになっている。さらに、制御部１２は、モード切替スイッチである操作スイッチ８の位置によって、無線ヘッドセットの動作モードを前述した音楽モードと会話モードとに変更する。
【００２１】
図３は、上記した音楽モードにおける音楽再生を行う際の制御部１２による処理を示すフローチャートである。
【００２２】
同図に示すように、制御部１２は、使用者が、耳あて部２等に設けられた電源スイッチを操作したか否かを判定し（ステップ４１）、電源スイッチが操作された場合は電源のオン／オフを行う（ステップ４２）。
【００２３】
また、電源スイッチが操作されない場合は、次に制御部１２は、使用者が音楽再生機能スイッチ（再生、ポーズ、早送り、巻き戻し、停止スイッチ）を操作したか否かを判定し（ステップ４３）、音楽再生機能スイッチが操作された場合は、その操作されたスイッチに応じた外部機器の音楽再生機能の制御（再生、ポーズ、早送り、巻き戻し、停止）を行う（ステップ４４）。
【００２４】
さらに、音楽再生機能スイッチが操作されない場合は、次に制御部１２は、使用者が音量スイッチを操作したか否かを判定し（ステップ４５）、音量スイッチが操作された場合は外部機器の音楽再生機能の音量の制御を行う（ステップ４６）。
【００２５】
以上のようにして、使用者は、マイク部５に設けられた操作スイッチ６ａ、６ｂ及び操作スイッチ８を操作することにより、音楽再生機能やビデオ再生機能等の動作を制御することができる。この時、操作スイッチ６ａ、６ｂ及び操作スイッチ８が、マイク部５に設けられているため、無線ヘッドセットを頭部に装着している状態でも、操作スイッチ６ａ、６ｂ及び操作スイッチ８の位置を容易に認識することができ、これらを容易に操作することができる。したがって、例えば、操作スイッチが耳あて部２に配置されている場合に比べて、操作性の向上を図ることができる。また、手探りで操作することにより操作スイッチを誤操作してしまう可能性も低減することができる。
【００２６】
なお、上記の実施形態では、操作スイッチ６ａ、６ｂ及び操作スイッチ８の合計３つの操作スイッチをマイク部５に設けた場合について説明したが、例えば、図４に示すように、比較的操作頻度の高い操作スイッチ６ａ、６ｂのみをマイク部５に設け、操作スイッチ８を他の部位、例えば、耳あて部２に設けてもよい。さらに、操作スイッチ６ａ、６ｂの一方のみをマイク部５に設けても良く、その反対に、より多くの操作スイッチをマイク部５に設けることもできる。
【図面の簡単な説明】
【００２７】
【図１】本発明の一実施形態の無線ヘッドセットの外観の構成を示す斜視図。
【図２】図１の無線ヘッドセットの構成を示すブロック図。
【図３】図１の無線ヘッドセットの動作を説明するためのフローチャート。
【図４】本発明の他の実施形態の無線ヘッドセットの構成を示すブロック図。
【符号の説明】
【００２８】
１…ヘッドセット本体、２…耳あて部、３…ヘッドバンド、４…フレキシブルアーム、５…マイク部、６ａ，６ｂ…操作スイッチ、７…マイク、８…操作スイッチ（モード切替スイッチ）、１０…スピーカー、１１…バッテリ。
【図１】
2005167360.tif 000003
【図２】
2005167360.tif 000004
【図３】
2005167360.tif 000005
【図４】
2005167360.tif 000006